(57)【要約】【課題】多方路を有する通信ノードにおいてフラッディングを行うとき、各入方路から到着するパケットを同一の緩衝記憶装置に収容し経路選択の待合せを行わせると、緩衝記憶装置溢れに対し入方路間の独立性が生かされずフラッディングの高信頼性が失われるため、異なる入方路から到着するパケットの損失を統計的に独立に保つことが課題となる。【解決手段】本発明は上記の課題を、入方路毎に経路選択装置を設置することにより待合せを行わせず、且つ出方路毎に緩衝記憶装置およびフラッディングに特有な遅れて到着する同一パケットを廃棄するための装置を設置し、着信側出方路における該緩衝記憶装置に対してはパケットが溢れない規模の記憶容量を具備させる手段により解決する。【選択図】図３
2008187411.tif 000002
【特許請求の範囲】
【請求項１】
フラッディングを行うパケット通信網内で、隣接する複数のノードと連結する多方路を有する各ノードにおいて、各入方路から到着するパケットに対する緩衝記憶装置溢れ（バッファ溢れ）を統計的に独立とするために、入方路毎に経路選択装置を設置することにより待合せを行わせず、且つ出方路毎に緩衝記憶装置およびフラッディングに特有な遅れて到着する同一パケットを廃棄するための装置（以下では同一後着パケット廃棄装置と称する）を設置し、着信するトラヒック量はノードを通過するトラヒック量に比し少ないので、着信側出方路における該緩衝記憶装置に対しては緩衝記憶装置溢れを発生させない規模の記憶容量を具備させることを特徴とする多方路発着中継装置。
【請求項２】
隣接する家庭、事業所、および公的機関からなるノード同士を、有線リンクまたは無線リンクで直接連結することによって構築する近隣網と称する通信網内で多方路を有する各ノードにおいて、電力がノードへ供給されている間は該電力で該多方路発着中継装置を常時稼動させ、停電やブレーカ遮断により電力がノードへ供給されない間は、該多方路発着中継装置の内部において電力消費量が多い機能を休止させ、他を非常用バッテリーの電力で稼動させることにより新着パケットを入方路側の出方路を除く他のすべての出方路へ接続（フラッディング）させることを特徴とする請求項１記載の多方路発着中継装置。
【発明の詳細な説明】
【技術分野】
【０００１】
本発明は、フラッディングを行うパケット通信に関する。
【背景技術】
【０００２】
フラッディングは、主として情報の収集（discovering）や広告（advertising）のために、ＩＰ網ではルーターを立ち上げた際に実行され、ルーターをもたないアドホックネットワークやセンサネットワークでは各通信端末の間で頻繁に実行される。アドホックネットワークやセンサネットワークは無線通信を前提とするため、方路の概念が無く、ブロードキャストがフラッディングの実行形態となる。
【０００３】
一方、我国では２０５０年頃から３人に１人が６５歳以上になると推計されており、この状況の下では、年金制度の変質により高齢者に経済的な配慮が必要となるため、近隣地域において、高齢者に対する多種多様なデリバリー・サービスや、高齢者宅に配備する看護・介護・介助用のセンサおよびアクチュエータ等をネットワーク経由で管理、遠隔操作する多種多様なネットワーク・サービスを無料で提供する近隣網（The Home Interlinking Network）が提案されている。
【０００４】
【特許文献１】高瀬柔郎，"近隣網内パケット通信方式"，日本国公開特許公報，公開番号：特開２００５−２２９５６７，公開日：２００５年０８月２５日。
【０００５】
【特許文献２】高瀬柔郎，"近隣網接続装置"， 特許出願２００６−８４６９６（平１８.３.２７）。
【０００６】
【非特許文献１】高瀬柔郎，"近隣網における損失率について  −フラッディングのために−"，電子情報通信学会論文誌Ｂ，Vol. J88-B, No. 8, pp.1393−1401，Aug. 2005。
【０００７】
【非特許文献２】高瀬柔郎，"近隣網アーキテクチャ  −トポロジを不変に保つ網接続装置−"，電子情報通信学会技術報告，IN2004−52，pp. 43−48，Sep. 2004。
【０００８】
【非特許文献３】高瀬柔郎，"近隣網における経路選択方式  −ソースルーチングをベースとして−"，電子情報通信学会技術報告，IN2004−53，pp. 49−54，Sep. 2004。
【０００９】
近隣網とは、近隣地域における各家庭、事業所、および公的機関等がノードとなり、各ノードが所有する種々のデータ発着信装置（以下では通信端末と呼ぶことにする）を、網接続装置を介して有線リンクまたは無線リンクで直接連結し、ＩＰルータや管理・制御を行うためのサーバ等の設備投資を行わず、各ノードが通信機能を無償で提供し合うことにより、課金を必要としない通信を実現する通信網である。
【００１０】
ここで無線リンクとは、レーザビームや赤外線ビームの他に、ＵＷＢ（Ultra Wide Band）技術として研究開発されている符号分割多重（Code Division Multiple Access）または時間ホッピング多重（Time Hopping Multiple Access）を用い隣接ノードとの間でＧＨｚ帯域において実現する方路を指す。
【００１１】
近隣網では、各ノードが多方路を有しており、ルーチング情報の収集や広告にフラッディングを用いるだけではなく、停電したノードは非常用バッテリーの負荷を軽減するために経路選択を中止しフラッディングに切り替える。
【００１２】
今後、近隣網に限らず、各ノードが多方路をもつパケット通信網が構築されるときに、フラッディングを意識したノード構成が必要となる。
【００１３】
フラッディングでは、ノードが同一パケットのコピーを各出方路から退去させるため、異なる経路を経由した同一のパケットが、ノードの各入方路から到着する事態を生ずる。このため、パケットが、転送途中に特定の中継ノードで廃棄されても、同じパケットが他の経路で到着することが可能となり、通信の信頼性が高まる。
【００１４】
反面、フラッディングでは、ノードの出方路から退去したパケットがノードの入方路から到着する可能性（ルーチングループ）や、同一パケットが長時間にわたり網内に滞留する可能性がある。これらの問題は、各ノードにおいて、遅れて到着する同一パケットを廃棄する（以下では同一後着パケット廃棄と称する）ことにより解決することができる。
【発明の開示】
【発明が解決しようとする課題】
【００１５】
ハードウェアを簡潔にするため、各入方路から到着するパケットを同一の緩衝記憶装置に収容し、経路選択や同一後着パケット廃棄の待合せを行わせると、緩衝記憶装置からパケットが溢れるときには、各入方路から到着するパケットが同じ溢れを被ることになり、入方路間の独立性が生かされずフラッディングの高信頼性が失われる。
【００１６】
フラッディングが有する高信頼性を保持するためには、異なる入方路から到着するパケットの損失を統計的に独立に保つことが課題となる。
【課題を解決するための手段】
【００１７】
本発明は、前記の課題を、入方路毎に経路選択装置を設置することにより待合せを行わせず、且つ出方路毎に緩衝記憶装置およびフラッディングに特有な遅れて到着する同一パケットを廃棄するための装置を設置し、着信するトラヒック量はノードを通過するトラヒック量に比し少ないので、着信側出方路における該緩衝記憶装置に対し緩衝記憶装置溢れを発生させない規模の記憶容量を具備させる請求項１記載の手段によって解決する。
【発明の効果】
【００１８】
本発明は以下の効果をもつ。
【００１９】
請求項１記載の多方路発着中継装置を用いることにより、第一に、入方路毎に経路選択を行い、出方路毎に同一の後着パケットを廃棄するので、先着パケットとの照合を入方路で行う必要がなく、先着パケットとの照合を出方路毎に行えばよく、異なる出方路との間で該照合を行う必要がなくなるので、処理時間が短縮される効果をもつ。
【００２０】
請求項１記載の多方路発着中継装置を用いることにより、第ニに、出方路毎にパケットが退去の順番を待合せ、同一の後着パケット廃棄の処理を受けるので、バッファ溢れに起因するパケット損の事象が、異なる出方路の間で統計的に独立となる。１ノードがＮ本の出方路をもつときに各出方路におけるバッファ溢れによるパケット廃棄率をｄ１、ｄ２、・・・、ｄＮと置くと、上記の独立性によりノードあたりのパケット損失率はｄ１×ｄ２×・・・×ｄＮとなり、各廃棄率の値は１よりも小さいのでそのＮ乗積は著しく小さな値となる効果をもつ（数値例：Ｎ＝４のときに各出方路におけるパケット廃棄率をｄ１＝ｄ２＝ｄ３＝ｄ４＝１０- 3  に確保しさえすれば、ノードあたりのパケット損失率として１０-1 2  を達成することができる）。
【００２１】
請求項１記載の多方路発着中継装置を用いることにより、第三に、複数出方路のうちで特定の出方路から退去するパケットの数が増加し、その出方路における待合せ時間が増大しても、他の出方路から退去するパケットの待合せ時間には全く影響しない分散処理となり、ノード全体のスループットを向上させる効果をもつ。
【００２２】
請求項２記載の多方路発着中継装置を近隣網に用いることにより、停電やブレーカ遮断が発生した時に該多方路発着中継装置内の経路選択機能を休止させてフラッディングを行い、非常用バッテリーの電力消費を抑制しながら通信経路を保持させるため、上記の効果に加え、長時間の停電に対しても通信路を変えずに保持し続け得る効果をもつ。
【発明を実施するための最良の形態】
【００２３】
本発明を実施するために必要なノード装置に関する形態を、図面に基づき詳細に説明する。
【実施例１】
【００２４】
図１は、本発明における多方路発着中継装置の適用環境に関する一実施例の構成略図である。図１には請求項１の特徴を記述する構成部分だけを記す。該構成部分は網接続装置１および通信端末２からなる。多方路発着中継装置は網接続装置１内に内蔵される。該構成略図では、ノードが東西南北の４方路をもち、且つ同一ノード内の一台の通信端末２が網接続装置１に接続される実施例となっている。
【００２５】
網接続装置１は、通信端末２と別電源であり、常時稼動である。
【００２６】
網接続装置１の、東側入方路信号端子３、北側入方路信号端子５、西側入方路信号端子７、および南側入方路信号端子９には、それぞれの隣接ノードからパケット信号が到着し、発信パケット信号端子１１には通信端末２の発信するパケット信号が加わる。
【００２７】
網接続装置１の、東側出方路信号端子４、北側出方路信号端子６、西側出方路信号端子８、および南側出方路信号端子１０から、それぞれの隣接ノードへパケット信号が退去し、着信パケット信号端子１２から通信端末２へ着信するパケット信号が加わる。
【００２８】
通信端末２は、ネットワークレイヤ以上の機能を有し、発信するパケットの信号を発信パケット信号端子１１へ加え、着信するパケットの信号を着信パケット信号端子１２から受ける。
【００２９】
なお、同一ノード内の複数の通信端末が網接続装置１に接続される実施例では、図１中の信号端子１１、１２からなる組が他にも複数並列に設置され、各組の信号端子にそれぞれ加わる信号が管理され処理される。
【実施例２】
【００３０】
図２は、本発明における多方路発着中継装置の使用方法に関する一実施例の構成略図である。該構成略図は、図１に記載した近隣網接続装置１の内部構成を、各方路が有線リンクであるか無線リンクであるかを問わず、該リンクを通過後に現れる電気信号に対して記述した略図である。図２には請求項１の特徴を記述する構成部分だけを記す。該構成部分は、多方路発着中継装置１３、および東側、北側、西側、南側、発信、着信の各信号端子からなる。
【００３１】
多方路発着中継装置１３は、到着するパケットの宛先アドレスと、自身に焼込まれ（記憶させられ）ている自ノードの物理アドレス（以下では自アドレスと略す）とを照合し、合致していれば到着パケットを自ノードへ着信させ、合致しなければ隣接ノードへ転送する。また多方路発着中継装置１３は、自ノードが発信するパケットを隣接ノードへ転送する。
【実施例３】
【００３２】
図３は、本発明における多方路発着中継装置に関する一実施例の構成略図である。図３には請求項１の特徴を記述する構成部分だけを記す。該構成部分は以下の通りである。西側、南側、北側、東側の各同期／誤り検出回路２２、２３、２４、２５。西側、南側、北側、東側、および発信側の各入方路緩衝記憶装置２６、２７、２８、２９、および３０。西側、南側、北側、東側、および発信側の各経路選択装置３１、３２、３３、３４、および３５。西側、南側、北側、東側、および着信側の各出方路緩衝記憶装置３６、３７、３８、３９、および４０。西側、南側、北側、東側、および着信側の各同一後着パケット廃棄装置４１、４２、４３、４４、および４５。西側、南側、北側、東側の各フレーム生成回路４６、４７、４８、４９。
【００３３】
西側、南側、北側、東側の各同期／誤り検出回路２２、２３、２４、２５は、それぞれの到着パケット信号端子１４、１５、１６、１７に加わる到着パケット信号に対して、同期を取り、フレーム誤りを検出し、フレーム誤りが検出されたパケット信号を廃棄する。
【００３４】
西側、南側、北側、東側の各同期／誤り検出回路２２、２３、２４、２５は、同時に、パケット信号のヘッダ誤りを検出し、ヘッダ誤りが検出されたパケット信号を廃棄する。
【００３５】
西側、南側、北側、東側の各同期／誤り検出回路２２、２３、２４、２５は、同時に、パケット信号のパケットヘッダ領域からフラッディングを行うか否かを指示するフラッディング識別子を読出す。
【００３６】
西側、南側、北側、東側の各同期／誤り検出回路２２、２３、２４、２５は、フレーム誤りおよびヘッダ誤りを生じていないパケット信号から、プリアンブル、スタートデリミタ、およびフレーム誤り検出符号をそれぞれ削除した領域を到着パケットとして、それぞれの入方路緩衝記憶装置２６、２７、２８、２９へ送る。
【００３７】
発信パケット信号端子１１に加えられる発信パケット信号および該パケットのフラッディング識別子信号は、発信側入方路緩衝記憶装置３０へ送られる。
【００３８】
なお、西側、南側、北側、東側の各同期／誤り検出回路２２、２３、２４、２５、および発信パケット信号端子１１の各々と、入方路緩衝記憶装置２６、２７、２８、２９、３０とをそれぞれ連結する線路は、それぞれパケット信号用および該パケットのフラッディング識別子信号用の２本を必要とするが、図３が煩雑となるのを避けるために区別せずそれぞれ１本の線路で描いてある。
【００３９】
西側、南側、北側、東側、および発信側の各入方路緩衝記憶装置２６、２７、２８、２９、および３０は、それぞれ西側、南側、北側、東側の各同期／誤り検出回路２２、２３、２４、２５、および発信パケット信号端子１１から送られて来るパケットを一時記憶する。
【００４０】
西側、南側、北側、東側の各経路選択装置３１、３２、３３、３４は、それぞれの入方路緩衝記憶装置２６、２７、２８、２９に一時記憶されている到着パケットの宛先アドレスを読出し、各経路選択装置３１、３２、３３、３４に焼込まれている自アドレスと照合する。
【００４１】
西側、南側、北側、東側の各経路選択装置３１、３２、３３、３４は、該照合と前記のフラッディング識別子とを基に、該パケットに対する経路の選択を行う。
【００４２】
西側、南側、北側、東側の各経路選択装置３１、３２、３３、３４は、該選択に基づき、それぞれの入方路緩衝記憶装置２６、２７、２８、２９に一時記憶されている該パケットを廃棄するか、または該パケットを西側、南側、北側、東側または着信側の各出方路緩衝記憶装置３６、３７、３８、３９、および４０へ送る。
【００４３】
発信側経路選択装置３５は、入方路緩衝記憶装置３０に一時記憶されているパケットに対する経路の選択を行う。
【００４４】
発信側経路選択装置３５は、該選択に基づき、発信側入方路緩衝記憶装置３０に一時記憶されている該パケットを西側、南側、北側、東側の各出方路緩衝記憶装置３６、３７、３８、３９へ送る。
【００４５】
西側、南側、北側、東側、および発信側の各経路選択装置３１、３２、３３、３４、および３５は、経路選択処理を終えたパケットの管理情報を廃棄する。
【００４６】
西側、南側、北側、東側、および発信側の各経路選択装置３１、３２、３３、３４、および３５は、該パケットを西側、南側、北側、東側の各出方路緩衝記憶装置３６、３７、３８、３９へ送る前に、該パケットへＴＴＬ（Time to live）指示値の書込みを行い、その後にヘッダチェックサムの処理を行う
【００４７】
なお、西側、南側、北側、東側、および発信側の各経路選択装置３１、３２、３３、３４、および３５と西側、南側、北側、東側または着信側の各出方路緩衝記憶装置３６、３７、３８、３９、または４０とを連結する各５本または４本の線路は、図３が煩雑となるのを避けるために途中で各１本の線路にまとめて描いてある。
【００４８】
西側、南側、北側、東側、および着信側の各出方路緩衝記憶装置３６、３７、３８、３９、または４０は、西側、南側、北側、東側、および発信側の各経路選択装置３１、３２、３３、３４、および３５から送られて来る各パケット信号を一時記憶する。
【００４９】
西側、南側、北側、東側、および着信側の各出方路緩衝記憶装置３６、３７、３８、３９、または４０は、西側、南側、北側、東側、および発信側の各経路選択装置３１、３２、３３、３４、および３５から、パケットが同時に送られて来るときにはそれらのパケット信号を同時に一時記憶する。
【００５０】
西側、南側、北側、東側、および着信側の各出方路緩衝記憶装置３６、３７、３８、３９、または４０は、それぞれ西側、南側、北側、東側、および着信側の各同一後着パケット廃棄装置４１、４２、４３、４４、および４５から、該パケットの廃棄指示があるまで該パケットを記憶し続ける。
【００５１】
西側、南側、北側、東側、および着信側の各同一後着パケット廃棄装置４１、４２、４３、４４、および４５は、それぞれの出方路緩衝記憶装置３６、３７、３８、３９、４０に一時記憶されているパケットを先着順に読出す。
【００５２】
西側、南側、北側、東側、および着信側の各同一後着パケット廃棄装置４１、４２、４３、４４、および４５は、読出したパケットのヘッダのうち、フレーム長領域、ＴＴＬ領域、およびヘッダチェックサム領域を除いたヘッダ領域と、自身が一定時間だけ記憶保管している先着パケットの該領域とを照合する。該一定の記憶保管時間は予め設定される。
【００５３】
西側、南側、北側、東側、および着信側の各同一後着パケット廃棄装置４１、４２、４３、４４、および４５は、該照合で該領域が合致するときには、フラッディングに起因する同一パケットが先着していることがわかるため、それぞれの出方路緩衝記憶装置３６、３７、３８、３９、４０に一時記憶している該パケットの廃棄を指示する。
【００５４】
また、西側、南側、北側、東側、および着信側の各同一後着パケット廃棄装置４１、４２、４３、４４、および４５は、該照合で該領域が合致しないときには、該パケットが新着パケットであることがわかるため、該パケットの該領域を新たに一定時間だけ記憶保管する。
【００５５】
西側、南側、北側、東側、および着信側の各同一後着パケット廃棄装置４１、４２、４３、４４、および４５は、同時に、それぞれの出方路緩衝記憶装置３６、３７、３８、３９、４０に一時記憶されている該パケットを西側、南側、北側、東側の各フレーム生成回路４６、４７、４８、４９、および着信パケット信号端子１２へ送り、出方路緩衝記憶装置３６、３７、３８、３９、４０内の該パケットを廃棄させる。
【００５６】
西側、南側、北側、東側、および着信側の各同一後着パケット廃棄装置４１、４２、４３、４４、および４５は、新着パケットのヘッダのうち、フレーム長領域、ＴＴＬ領域、およびヘッダチェックサム領域を除いたヘッダ領域を、一定時間だけ記憶保管し、該記憶保管時間を超えた該領域は消去する。
【００５７】
西側、南側、北側、東側の各フレーム生成回路４６、４７、４８、４９は、それぞれの同一後着パケット廃棄装置４１、４２、４３、４４から送られて来るパケットに、プリアンブル、スタートデリミタ、およびフレーム誤り検出符号を付加した信号を、西側、南側、北側、東側の各退去パケット信号端子１８、１９、２０、２１へ加える。
【実施例４】
【００５８】
図４は、本発明における近隣網内の多方路発着中継装置の適用環境に関する一実施例の構成略図である。図４の構成では、請求項１に関する実施例１の図１における構成に請求項２の特徴を加えるために、網接続装置１が近隣網接続装置５０に変更され、登録名信号端子５１、ノード電圧信号端子５２、および非常用バッテリー電圧信号端子５３が追加されている。多方路発着中継装置は近隣網接続装置５０内に内蔵される。
【００５９】
以下では、図４中の該追加された構成についてだけを詳細に説明する。他の部分の構成については図１による実施例１の説明と同じである。
【００６０】
近隣網接続装置５０は、通信端末２と別電源であり、常時稼動であるが、停電やブレーカ遮断により自ノードへ電力が供給されなくなった時には、近隣網接続装置５０の電源は自動的に非常用バッテリーに切り替えられる。
【００６１】
近隣網接続装置５０のノード電圧信号端子５２には、自ノードに供給される電圧が加わる。近隣網接続装置５０は、該電圧の監視により、自ノードへ電力が供給されているか否かを検知する。近隣網接続装置５０の非常用バッテリー電圧信号端子５３には、非常用バッテリーの電圧が加わる。近隣網接続装置５０は、該電圧の監視により、非常用バッテリーが有効であるか否かを検知する。
【００６２】
通信端末２は、ネットワークレイヤ以上の機能を有するが、停電やブレーカ遮断により自ノードへ電力が供給されなくなった時には稼動しない。
【００６３】
通信端末２は、自ノードの登録名（セマンティックネーム）を近隣網接続装置５０に書き込むためにも用いられ、このときには、通信端末が有するキーボードから登録名を入力することにより、該登録名信号を登録名信号端子５１へ加える。
【００６４】
近隣網接続装置５０は、自ノードへ電力が供給されているときには通信端末２が稼動していると判断し、東側、北側、西側、南側の各入方路３、５、７、９から到着するパケットの宛先を照合し、宛先が自ノードであるときには、該パケット信号を着信パケット信号端子１２へ接続する。また、宛先が自ノードでないときには経路選択結果に基づき、該パケット信号を東側、北側、西側、南側の出方路信号端子４、６、８、１０へ接続する。
【００６５】
近隣網接続装置５０は、自ノードへ電力が供給されないときには通信端末２が稼動していないと判断し、東側、北側、西側、南側の各入方路３、５、７、９から到着するパケット信号を該入方路側の出方路を除く他のすべての出方路へ接続する（フラッディング）。
【実施例５】
【００６６】
図５は、本発明における近隣網内の多方路発着中継装置の使用方法に関する一実施例の構成略図である。図５の構成では、請求項１に関する実施例２の図２における構成に請求項２の特徴を加えるために、登録名信号端子５１、ノード電圧信号端子５２、非常用バッテリー電圧信号端子５３、および東側、北側、西側、南側の各入方路スイッチ５４、５５、５６、５７が追加されている。
【００６７】
以下では、図５中の該追加された構成についてだけを詳細に説明する。他の部分の構成については図２による実施例２の説明と同じである。
【００６８】
図５には、非常用バッテリーが有効であるときの入方路スイッチ５４、５５、５６、５７の接続状態が記されている。長時間にわたる停電や長時間のブレーカ遮断により、非常用バッテリーの電流容量が消費され尽くすと、非常用バッテリー電圧信号端子５３に加わる該バッテリーの供給電圧が低下し、各入方路スイッチ５４、５５、５６、５７は図５中とは反対の接続状態になり、東側入方路信号端子３と西側出方路信号端子８、西側入方路信号端子７と東側出方路信号端子４、北側入方路信号端子５と南側出方路信号端子１０、および南側入方路信号端子９と北側出方路信号端子６、がそれぞれ連結される。
【００６９】
なお、図５は、各入方路が対向する出方路をもつ実施例であるが、対向する出方路をもたない入方路が存在する実施例においては、非常用バッテリーの電流容量が消費され尽くすと、該入方路から到着するパケットは廃棄される。また、入方路の数が４を超える実施例においては、多方路発着中継装置１３の端子１４、１５、１６、１７、１８、１９、２０、２１に加えて更に端子が増設される。
【００７０】
多方路発着中継装置１３、および東側、北側、西側、南側の各入方路スイッチ５４、５５、５６、５７は、ノードに供給される電力に加え、該電力の供給が途絶えたときに非常用バッテリーを電源とする。
【００７１】
多方路発着中継装置１３は、ノード電圧信号端子５２に加わるノード電圧を監視することにより停電やブレーカ遮断を検知する。
【００７２】
多方路発着中継装置１３は、登録名信号端子５１に加わる自ノードの登録名信号を記憶しておき、到着するパケットが宛名データを積載するパケットであるときには該宛名データと該登録名とを照合し、また宛名データを積載しないパケットであるときには該パケットの宛先アドレスと多方路発着中継装置１３に焼込まれている自アドレスとを照合する。
【実施例６】
【００７３】
図６は、本発明における近隣網内の多方路発着中継装置に関する一実施例の構成略図である。図６の構成では、請求項１に関する実施例３の図３における構成に請求項２の特徴を加えるために、登録名信号端子５１、ノード電圧信号端子５２、および隣間パケット生成装置５８が追加されている。
【００７４】
以下では、図６中の該追加された構成についてだけを詳細に説明する。他の部分の構成については図３による実施例３の説明と同じである。
【００７５】
西側、南側、北側、東側の各同期／誤り検出回路２２、２３、２４、２５は、それぞれの到着パケット信号のパケットヘッダ領域からパケット種別識別子を読出す。なお、本発明において使用するパケット種別識別子の実施例については、前記の特許文献１"近隣網内パケット通信方式"に記載されているので説明を省略する。
【００７６】
西側、南側、北側、東側の各同期／誤り検出回路２２、２３、２４、２５は、到着パケットと共に、前記のパケット種別識別子を、それぞれの入方路緩衝記憶装置２６、２７、２８、２９へ送る。該パケット種別識別子はパケット管理情報として一時記憶する。
【００７７】
西側、南側、北側、東側の各入方路緩衝記憶装置２６、２７、２８、２９は、送られてくる該パケット種別識別子をパケット管理情報として一時記憶する。
【００７８】
隣間パケット生成装置５８は、自ノードアドレスを隣接ノードへ通知するために、自ノードアドレスを積載した隣間パケットを生成し、定期的に発信側入方路緩衝記憶装置３０へ送る。隣間パケットの実施例については、前記の特許文献１"近隣網内パケット通信方式"に記載されているので説明を省略する。
【００７９】
隣間パケット生成装置５８は、同時に、隣間パケット識別子を発信側入方路緩衝記憶装置３０へパケット管理情報として送る。
【００８０】
発信パケット信号端子１１に加えられる発信パケット信号および該パケットの種別識別子信号は、発信側入方路緩衝記憶装置３０へ送られる。
【００８１】
西側、南側、北側、東側、および発信側の各入方路緩衝記憶装置２６、２７、２８、２９、および３０は、それぞれ西側、南側、北側、東側の各同期／誤り検出回路２２、２３、２４、２５、隣間パケット生成装置５８、および発信パケット信号端子１１から送られて来るパケットおよび該パケットの種別識別子を一時記憶する。パケット種別識別子はパケットの管理情報として使用する。
【００８２】
発信側入方路緩衝記憶装置３０は、隣間パケット生成装置５８から隣間パケットが、また発信パケット信号端子１１から発信パケットが、同時に送られて来たときには両パケットを同時に一時記憶する。
【００８３】
西側、南側、北側、東側、および発信側の各経路選択装置３１、３２、３３、３４、および３５は、それぞれの入方路緩衝記憶装置２６、２７、２８、２９、および３０が一時記憶するパケット管理情報を共有する。
【００８４】
また、西側、南側、北側、東側、および発信側の各経路選択装置３１、３２、３３、３４、および３５は、登録名信号端子５１に加わる自ノードの登録名信号を記憶する。
【００８５】
西側、南側、北側、東側の各経路選択装置３１、３２、３３、３４は、それぞれの入方路緩衝記憶装置２６、２７、２８、２９に書き込まれる到着パケットが宛名データを積載するパケットであるときには該宛名データを読出し前記の自ノード登録名と照合し、また該パケットが宛名データを積載しないパケットであるときには該パケットの宛先アドレスを読出しそれぞれの経路選択装置３１、３２、３３、３４に焼込まれている自アドレスと照合する。
【００８６】
西側、南側、北側、東側の各経路選択装置３１、３２、３３、３４は、該照合と前記のパケット管理情報とを基に、該パケットに対する経路の選択を行う。
【００８７】
西側、南側、北側、東側の各経路選択装置３１、３２、３３、３４は、該選択に基づき、それぞれの入方路緩衝記憶装置２６、２７、２８、２９に一時記憶されている当該パケットを廃棄するか、または該パケットを西側、南側、北側、東側、着信側の各出方路緩衝記憶装置３６、３７、３８、３９、４０へ送る。
【００８８】
発信側経路選択装置３５は、予め定められているパケット種別の優先順に、入方路緩衝記憶装置３０に一時記憶されているパケットに対する経路の選択を行う。
【００８９】
発信側経路選択装置３５は、該選択に基づき、発信側入方路緩衝記憶装置３０に一時記憶されている当該パケットを西側、南側、北側、東側の各出方路緩衝記憶装置３６、３７、３８、３９へ送る。
【００９０】
西側、南側、北側、東側、および発信側の各経路選択装置３１、３２、３３、３４、および３５は、経路選択処理を終えたパケットの管理情報を廃棄する。
【００９１】
西側、南側、北側、東側、および発信側の各経路選択装置３１、３２、３３、３４、および３５は、該パケットを西側、南側、北側、東側の各出方路緩衝記憶装置３６、３７、３８、３９へ送る前に、該パケットへスタックポインタ指示値の書込みや自アドレスの書込みを行い、その後にヘッダチェックサムの処理を行う。
【００９２】
隣間パケット生成装置５８は、ノード電圧信号端子５２に加わるノード電圧信号により停電やブレーカ遮断を検知すると、非常用バッテリーの負荷を軽減するために自身の隣間パケット生成機能を停止する。
【００９３】
西側、南側、北側、東側の各入方路緩衝記憶装置２６、２７、２８、２９は、ノード電圧信号端子５２に加わるノード電圧信号により停電やブレーカ遮断を検知すると、非常用バッテリーの負荷を軽減するために自身の緩衝記憶機能を停止し、西側、南側、北側、東側の各同期／誤り検出回路２２、２３、２４、２５から送られて来る各パケット信号をそれぞれ西側、南側、北側、東側の各経路選択装置３１、３２、３３、３４へバイパスさせる。
【００９４】
発信側入方路緩衝記憶装置３０は、ノード電圧信号端子５２に加わるノード電圧信号により停電やブレーカ遮断を検知すると、非常用バッテリーの負荷を軽減するために自身の緩衝記憶機能を停止する。
【００９５】
西側、南側、北側、東側の各経路選択装置３１、３２、３３、３４は、ノード電圧信号端子５２に加わるノード電圧信号により停電やブレーカ遮断を検知すると、非常用バッテリーの負荷を軽減するために自身の経路選択機能を停止し、西側、南側、北側、東側の各同期／誤り検出回路２２、２３、２４、２５から送られて来る各パケット信号を西側、南側、北側、東側の各出方路緩衝記憶装置３６、３７、３８、３９へ分岐（フラッディング）させる。
【００９６】
発信側経路選択装置３５は、ノード電圧信号端子５２に加わるノード電圧信号により停電やブレーカ遮断を検知すると、非常用バッテリーの負荷を軽減するために自身の経路選択機能を停止する。
【００９７】
西側、南側、北側、東側、および着信側の各同一後着パケット廃棄装置４１、４２、４３、４４、および４５については、図３で使用するパケットヘッダ内のＴＴＬ領域が、図４で使用するパケットヘッダ内のスタックポインタ領域へ名称変更される。
【００９８】
なお、本発明における近隣網内の多方路発着中継装置が使用するスタックポインタについては、前記の特許文献１にインクリメント型が、また特許文献２にデクリメント型がそれぞれ記載されており、スタックポインタ自体が果たす役割は同じであるので、説明を省略する。
【００９９】
着信側出方路緩衝記憶装置４０および着信側同一後着パケット廃棄装置４５は、ノード電圧信号端子５２に加わるノード電圧信号により停電やブレーカ遮断を検知すると、非常用バッテリーの負荷を軽減するためにそれぞれの機能を停止する。
【０１００】
なお、本発明における近隣網内の多方路発着中継装置が使用する経路選択装置の実施例については、前記、特許文献２記載の実施例と同じであるので、説明を省略する。
【０１０１】
また、本発明における近隣網内の多方路発着中継装置が使用するパケットの実施例については、前記、特許文献１記載の実施例と同じであるので、説明を省略する。
【図面の簡単な説明】
【０１０２】
【図１】多方路発着中継装置の適用環境を示した説明図である（実施例１）。
【図２】多方路発着中継装置の使用方法を示した説明図である（実施例１）。
【図３】多方路発着中継装置の実施方法を示した説明図である（実施例１）。
【図４】近隣網における多方路発着中継装置の適用環境を示した説明図である（実施例２）。
【図５】近隣網における多方路発着中継装置の使用方法を示した説明図である（実施例２）。
【図６】近隣網における多方路発着中継装置の実施方法を示した説明図である（実施例２）。
【符号の説明】
【０１０３】
１  網接続装置
２  通信端末
３  東側入方路信号端子
４  東側出方路信号端子
５  北側入方路信号端子
６  北側出方路信号端子
７  西側入方路信号端子
８  西側出方路信号端子
９  南側入方路信号端子
１０  南側出方路信号端子
１１  発信パケット信号端子
１２  着信パケット信号端子
１３  多方路発着中継装置
１４  西側到着パケット信号端子
１５  南側到着パケット信号端子
１６  北側到着パケット信号端子
１７  東側到着パケット信号端子
１８  西側退去パケット信号端子
１９  南側退去パケット信号端子
２０  北側退去パケット信号端子
２１  東側退去パケット信号端子
２２  西側同期／誤り検出回路
２３  南側同期／誤り検出回路
２４  北側同期／誤り検出回路
２５  東側同期／誤り検出回路
２６  西側入方路緩衝記憶装置
２７  南側入方路緩衝記憶装置
２８  北側入方路緩衝記憶装置
２９  東側入方路緩衝記憶装置
３０  発信側入方路緩衝記憶装置
３１  西側経路選択装置
３２  南側経路選択装置
３３  北側経路選択装置
３４  東側経路選択装置
３５  発信側経路選択装置
３６  西側出方路緩衝記憶装置
３７  南側出方路緩衝記憶装置
３８  北側出方路緩衝記憶装置
３９  東側出方路緩衝記憶装置
４０  着信側出方路緩衝記憶装置
４１  西側同一後着パケット廃棄装置
４２  南側同一後着パケット廃棄装置
４３  北側同一後着パケット廃棄装置
４４  東側同一後着パケット廃棄装置
４５  着信側同一後着パケット廃棄装置
４６  西側フレーム生成回路
４７  南側フレーム生成回路
４８  北側フレーム生成回路
４９  東側フレーム生成回路
５０  近隣網接続装置
５１  登録名信号端子
５２  ノード電圧信号端子
５３  非常用バッテリー電圧信号端子
５４  東側入方路スイッチ
５５  北側入方路スイッチ
５６  西側入方路スイッチ
５７  南側入方路スイッチ
５８  隣間パケット生成装置
【図１】
2008187411.tif 000003
【図２】
2008187411.tif 000004
【図３】
2008187411.tif 000005
【図４】
2008187411.tif 000006
【図５】
2008187411.tif 000007
【図６】
2008187411.tif 000008